(57)【要約】  本発明は、医療画像に対してツールをナビゲートする蛍光ナビゲーションシステムであって、患者の関心の領域の複数の画像を取得するように構成される電動Ｘ線撮像システムと、位置特定システムと、複数の放射線不透過性基準を含む位置合わせファントム（３０）と、位置合わせファントムによってトラッキングされるように構成されるトラッカ（２０）と、電動Ｘ線撮像システムによって取得される複数の画像を受信するように構成され、且つ、複数の画像中で見える放射線不透過性基準（３１）を用いて画像から３Ｄ医療画像を再構築するように構成される、プロセッサと、実質的に放射線不透過性の材料で作られるベース（１０）とを含み、各画像の位置は、電動Ｘ線撮像システムを参照して知られており、ベースは、患者の骨（Ｂ）に剛的に固定されるように構成され、位置合わせファントム（３０）及び／又はトラッカ（２０）を取り付ける再現可能な固定システムを含む、蛍光ナビゲーションシステムに関する。
2018538019.tif 000002
【特許請求の範囲】
【請求項１】
医療画像に対してツールをナビゲートする蛍光ナビゲーションシステムであって、
−  患者の関心の領域の複数の画像を取得するように構成される電動Ｘ線撮像システムと、
−  位置特定システムと、
−  複数の放射線不透過性基準を含む位置合わせファントムと、
−  該位置合わせファントムによってトラッキングされるように構成されるトラッカと、
−  前記電動Ｘ線撮像システムによって取得される前記複数の画像を受信するように構成され、前記複数の画像中で見える放射線不透過性基準を用いて前記画像から３Ｄ医療画像を再構築するように構成される、プロセッサと、
−  実質的に放射線不透過性の材料で作られるベースとを含み、
各画像の位置は、前記電動Ｘ線撮像システムを参照して知られており、
前記ベースは、患者の骨に剛的に固定されるように構成され、前記位置合わせファントム及び／又は前記トラッカを取り付ける再現可能な固定システムを含む、
蛍光ナビゲーションシステム。
【請求項２】
前記位置特定システムは、光学式である、請求項１に記載の蛍光ナビゲーションシステム。
【請求項３】
前記位置特定システムは、電磁式である、請求項１に記載の蛍光ナビゲーションシステム。
【請求項４】
前記再現可能な固定システムは、前記ベースに対する前記トラッカについての１つ又はそれよりも多くの決定される位置と、前記ベースに対する前記位置合わせファントムについての特異な位置とを提供するように、構成される、請求項１乃至３のうちのいずれか１項に記載の蛍光ナビゲーションシステム。
【請求項５】
前記ベースは、トラッキングされるツールによって指し示されることが意図される基準点を含み、前記プロセッサは、前記トラッカに対する前記基準点の位置特定から、前記ベースに対する前記トラッカの現実の位置を決定するように構成される、請求項４に記載の蛍光ナビゲーションシステム。
【請求項６】
前記ベース、前記位置合わせファントム及び前記トラッカのうちの少なくとも１つは、前記コンポーネントの基準特徴を含む、バーコード又はデータ行列を含む、それぞれの識別カードを備える、請求項１乃至５のうちのいずれか１項に記載の蛍光ナビゲーションシステム。
【請求項７】
バーコード又データ行列リーダを更に含み、前記プロセッサは、前記バーコード又データ行列リーダに連結され、前記それぞれの識別カードの前記バーコード又はデータ行列に含まれる前記基準特徴をダウンロードするように構成される、請求項６に記載の蛍光ナビゲーションシステム。
【請求項８】
前記ベースは、複数の貫通穴を含み、当該蛍光ナビゲーションシステムは、前記患者の骨に経皮的に固定されるよう、前記貫通穴内に挿入されることが意図される、複数のピンを更に含む、請求項１乃至７のうちのいずれか１項に記載の蛍光ナビゲーションシステム。
【請求項９】
異なるサイズ及び／又は形状を有する複数のベースと、該ベースの各々に再現可能に取り付けることができる単一のトラッカ及び単一の位置合わせファントムとを含む、請求項１乃至８のうちのいずれか１項に記載の蛍光ナビゲーションシステム。
【請求項１０】
単一のベースと、該ベースに再現可能に取り付けることができる異なるサイズ及び／又は形状の複数のトラッカ及び複数の位置合わせファントムとを含む、請求項１乃至８のうちのいずれか１項に記載の蛍光ナビゲーションシステム。
【請求項１１】
異なるサイズ及び／又は形状を有する複数のベースと、該ベースの各々に再現可能に取り付けることができる異なるサイズ及び／又は形状の複数のトラッカ及び複数の位置合わせファントムとを含む、請求項１乃至８のうちのいずれか１項に記載の蛍光ナビゲーションシステム。
【請求項１２】
（ａ）請求項１乃至１１のうちのいずれか１項に記載の蛍光ナビゲーションシステムを提供するステップと、
（ｂ）前記ベースを前記患者の皮膚に又は患者の身体部分に非外科的に取り付けるステップと、
（ｃ）前記再現可能な固定システムを使用して前記位置合わせファントムを前記ベースの上に取り付けるステップと、
（ｄ）前記電動Ｘ線撮像システムを使用して画像のセットを取得するステップであって、前記位置合わせファントムの前記放射線不透過性基準は前記画像のセットの少なくとも部分で見えるステップと、
（ｅ）前記画像のセットを使用して前記患者の関心の領域の３Ｄボリュームを構築するステップと、
（ｆ）前記ベースから前記位置合わせファントムを除去するステップと、
（ｇ）前記再現可能な固定システムを使用して前記トラッカを前記ベースに取り付けるステップと、
（ｈ）少なくとも１つの手術ツールにトラッカを提供するステップと、
（ｉ）前記位置特定システムでツール位置を決定するステップと、
（ｊ）前記ツール位置を前記構築された３Ｄボリュームと位置合わせするステップとを含む、
蛍光ナビゲーション方法。
【請求項１３】
請求項５に記載の蛍光ナビゲーションシステムが使用され、
前記ステップ（ｇ）は、前記トラッカについての前記決定される位置のいずれか１つにおいて前記トラッカを前記ベースに取り付けることを含み、
当該蛍光ナビゲーション方法は、前記ツールを前記ベースの基準点に位置付け、前記ツール及び前記トラッカを位置特定することによって、前記ベースに対する前記トラッカの現実の位置を決定するステップを更に含む、
請求項１２に記載の蛍光ナビゲーション方法。
【請求項１４】
請求項６に記載の蛍光ナビゲーションシステムが使用され、
当該蛍光ナビゲーション方法は、それぞれの識別カード上の基準特徴を含むバーコード又はデータ行列を読み取ることによって、前記ベース、前記位置合わせファントム及び前記トラッカのうちの少なくとも１つについての基準特徴を取得するステップを更に含む、
請求項１２又は１３に記載の蛍光ナビゲーション方法。
【発明の詳細な説明】
【技術分野】
【０００１】
本発明は、医療画像に対してツールをナビゲートする蛍光ナビゲーションシステム(フロオロナビゲーションシステム)(fluoro-navigation  system)に関し、そのようなシステムによって実行される非外科的方法(non-surgical  method)に関する。
【背景技術】
【０００２】
手術では、手術処置を案内するために、Ｘ線蛍光透視法がしばしば利用される。特に、整形外科、脊柱及び外傷手術では、骨折縮小をモニタリングし、精密な位場所で器具を挿入し、且つ１つ又は幾つかの多くの骨片にインプラントを位置付けるために、Ｘ線蛍光透視法がしばしば利用される。Ｘ線蛍光透視法は、２Ｄ画像であることができ、或いは、断層撮影再構成アルゴリズムを使用して多数の２Ｄ画像から得られる３Ｄ画像であることができる。
【０００３】
蛍光ナビゲーションは、上述の目標を達成する、手術中に取得される蛍光透視画像に対するリアルタイムナビゲーションの適用である。
【０００４】
蛍光ナビゲーションを実行する観点から、外科的介入の間に使用されるツールは、トラッカ(tracker)、例えば、光学、電磁、超音波、又は慣性トラッカを備え、少なくとも１つの位置特定システムが後続する。他のトラッカは、患者に取り付けられ、位置特定システムによっても見られる。
【０００５】
文献ＦＲ２９４１３６４は、光学トラッカを患者に取り付けた装置を記載している。装置は、複数の貫通ボアを含む実質的に平坦な放射線不透過性の本体を含む。ピンをボアに通して、本体を患者の骨に経皮的に固定する。この装置は、本体と一体的に、光学トラッカを受けることを意図する突出部材を更に含む。
【０００６】
しかしながら、突出部材を外科的介入の領域から遠ざけるために、突出部材は本体の長手方向の端に位置付けられるが、医療スタッフは外科的介入中に光学トラッカ及び／又は突出部材に当たらないように注意しなければならず、それは装置を移動させ、それにより、ナビゲーションデータを関連性のないものにすることがある。
【０００７】
Ｘ線撮像デバイスによって取得される画像に対して手術ツールをナビゲートする観点から、患者に固定された光学トラッカに対するＸ線画像検出器の位置を知ることが必要である。この目的を達成するために、従来的なシステムにおいて、Ｘ線撮像装置は、位置特定システムの少なくとも１つのカメラによって見られる光学トラッカも備える。しかしながら、患者の光学トラッカとＸ線撮像システムの光学トラッカとの間には大きな距離が存在することがあるので、位置特定システムのカメラの視界が外科的介入中に医療スタッフによって妨げられるリスクがある。
【発明の概要】
【発明が解決しようとする課題】
【０００８】
本発明の目的は、既知のシステムの上述の欠点を克服する蛍光ナビゲーションシステムを提供することである。特に、本発明の目的は、外科的介入の間に手術空間を節約することである。
【課題を解決するための手段】
【０００９】
本発明は、医療画像に対してツールをナビゲートする蛍光ナビゲーションシステムであって、
−  患者の関心の領域の複数の画像を取得するように構成される電動Ｘ線撮像システムと、
−  位置特定システムと、
−  複数の放射線不透過性基準を含む位置合わせファントムと、
−  位置合わせファントムによってトラッキング（追跡）されるように構成されるトラッカと、
−  電動Ｘ線撮像システムによって取得される複数の画像を受信するように構成され、複数の画像中で見える放射線不透過性基準を用いて画像から３Ｄ医療画像を再構築するように構成される、プロセッサと、
−  実質的に放射線不透過性の材料で作られるベースとを含み、
各画像の位置は、電動Ｘ線撮像システムを参照して知られており、
ベースは、患者の骨に剛的に固定されるように構成され、位置合わせファントム及び／又はトラッカを取り付ける再現可能な固定システムを含む、
蛍光ナビゲーションシステム提供する。
【００１０】
ある実施形態によれば、位置特定システムは、光学式である。
【００１１】
ある実施形態によれば、位置特定システムは、電磁式であり、任意的に慣性センサを備える。
【００１２】
ある実施形態によれば、再現可能な固定システムは、ベースに対するトラッカについての１つ又はそれよりも多くの決定される位置と、ベースに対する位置合わせファントムについての特異な位置とを提供するように、構成される。
【００１３】
ある実施形態によれば、ベースは、トラッキングされるツールによって指し示されることが意図される基準点を含み、プロセッサは、トラッカに対する基準点の位置特定から、ベースに対するトラッカの現実の位置を決定するように構成される。
【００１４】
ある実施形態によれば、ベース、位置合わせファントム及びトラッカのうちの少なくとも１つは、コンポーネントの基準特徴を含む、バーコード又はデータ行列を含む、それぞれの識別カードを備える。
【００１５】
システムは、バーコード又データ行列リーダを更に含み、プロセッサは、バーコード又データ行列リーダに連結され、それぞれの識別カードのバーコード又はデータ行列に含まれる基準特徴をダウンロードするように構成される。
【００１６】
ある実施形態によれば、ベースは、複数の貫通穴を含み、蛍光ナビゲーションシステムは、患者の骨に経皮的に固定されるよう、貫通穴内に挿入されることが意図される、複数のピンを更に含む。
【００１７】
ある実施形態によれば、システムは、異なるサイズ及び／又は形状を有する複数のベースと、ベースの各々に再現可能に取り付けることができる単一のトラッカ及び単一の位置合わせファントムとを含む。
【００１８】
ある実施形態によれば、システムは、単一のベースと、ベースに再現可能に取り付けることができる異なるサイズ及び／又は形状の複数のトラッカ及び複数の位置合わせファントムとを含む。
【００１９】
ある実施形態によれば、異なるサイズ及び／又は形状を有する複数のベースと、ベースの各々に再現可能に取り付けることができる異なるサイズ及び／又は形状の複数のトラッカ及び複数の位置合わせファントムとを含む。
【００２０】
本発明の他の目的は、
（ａ）上述の記載の蛍光ナビゲーションシステムを提供するステップと、
（ｂ）ベースを患者の皮膚に又は患者の身体部分に非外科的に取り付けるステップと、
（ｃ）再現可能な固定システムを使用して位置合わせファントムを前記ベースの上に取り付けるステップと、
（ｄ）電動Ｘ線撮像システムを使用して画像のセットを取得するステップであって、位置合わせファントムの放射線不透過性基準は画像のセットの少なくとも部分で見えるステップと、
（ｅ）画像のセットを使用して患者の関心の領域の３Ｄボリュームを構築するステップと、
（ｆ）ベースから前記位置合わせファントムを除去するステップと、
（ｇ）再現可能な固定システムを使用してトラッカをベースに取り付けるステップと、
（ｈ）少なくとも１つの手術ツールにトラッカを提供するステップと、
（ｉ）位置特定システムでツール位置を決定するステップと、
（ｊ）ツール位置を構築された３Ｄボリュームと位置合わせするステップとを含む、
蛍光ナビゲーション方法である。
【００２１】
ある実施形態によれば、再現可能な固定システムがベースに対するトラッカについての１以上の決定された位置を提供するように構成されるとき、ステップ（ｇ）は、トラッカについての決定される位置のいずれか１つにおいてトラッカをベースに取り付けることを含み、当該蛍光ナビゲーション方法は、ツールをベースの基準点に位置付け、ツール及びトラッカを位置特定することによって、ベースに対するトラッカの現実の位置を決定するステップを更に含む。
【００２２】
ある実施形態によれば、当該蛍光ナビゲーション方法は、それぞれの識別カード上の基準特徴を含むバーコード又はデータ行列を読み取ることによって、ベース、位置合わせファントム及びトラッカのうちの少なくとも１つについての基準特徴を取得するステップを更に含む
【００２３】
本発明の更なる構成及び利点は、添付の図面に基づく以下の記載から明らかであろう。
【図面の簡単な説明】
【００２４】
【図１】ベースが患者の骨に直接的に固定された、本発明の実施形態に従ったモジュール式の器具を概略的に例示している。
【図２】ベースが患者の骨に間接的に固定された、本発明の他の実施形態に従ったモジュール式の器具を概略的に例示している。
【図３】ベースが骨に直接的及び間接的に固定された、本発明の他の実施形態に従ったモジュール式の器具を概略的に例示している。
【図４Ａ】トラッカが電磁トラッカである、本発明の実施形態に従ったモジュール式の器具を概略的に例示している。
【図４Ｂ】トラッカが電磁トラッカである、本発明の実施形態に従ったモジュール式の器具を概略的に例示している。
【図５】ベースはトラッカ及び位置合わせファントムに共通の再現可能な固定を含む、本発明の実施形態に従ったモジュール式の器具を概略的に例示している。
【図６Ａ】トラッカはベースに対する対称的な再現可能な固定を有するのに対し、位置合わせファントムはベースに対する特異な再現可能な固定を有する、本発明の実施形態に従ったモジュール式の器具を概略的に例示している。
【図６Ｂ】トラッカはベースに対する対称的な再現可能な固定を有するのに対し、位置合わせファントムはベースに対する特異な再現可能な固定を有する、本発明の実施形態に従ったモジュール式の器具を概略的に例示している。
【図７】ピンによって骨に固定されることが意図された本発明に従ったベースの様々な実施形態を例示している。
【図８】複数のピンを使用して多拘束固定を創り出す皮膚の特定の距離で維持されるベースを概略的に例示している。
【図９】ピンをベースに固定する様々な方法を例示している。
【図１０】位置合わせファントムの様々な実施形態を例示している。
【図１１】ベースに取り付けられるトラッカ及び位置合わせファントムの実施形態を概略的に例示している。
【図１２】器具を用いた外科的介入中に実行されてよいプロトコルを表すフローチャートである。
【図１３】ベースに対するトラッカの対称的な固定の場合に実行されてよい代替的なプロトコルを表すフローチャートである。
【図１４】ベースの基準特徴を含むバーコードを含む、識別カードを例示している。
【図１５】ベース、位置合わせファントム、トラッカ及びツールの識別特徴を含む、データ行列を含む識別カードを例示している。
【発明を実施するための形態】
【００２５】
本発明は、蛍光ナビゲーション(フルオロナビゲーション)(fluoro-navigation)の脈絡において、即ち、位置特定システム(localization  system)の関係において医療撮像システムによって取得されるＸ線画像内で位置特定システムによってトラッキング（追跡）されるツールをナビゲートするために、実行される。
【００２６】
有柄ネジのような整形外科インプラントの移植、椎体形成術処置で使用される脊柱トロカールのような外科器具の挿入、股関節(hip)、膝関節(knee)又は肩関節(shoulder)インプラントのような様々な整形外科インプラントの移植、外傷処置中の骨折の縮小(reduction)及び固定(fixation)を非限定的に含む、患者の骨に対して実行される様々な種類の外科的介入において、そのようなナビゲーションを実行することができる。
【００２７】
医療撮像システムは、少なくとも１つのＸ線源と、少なくとも１つのＸ線検出器とを含む。例えば、医療撮像システムは、Ｃアーム、Ｏアーム又はスキャナであり得る。
【００２８】
医療撮像システムは、３Ｄ取得軌跡を生成するのに寄与する少なくとも１つの動きで電動化される。即ち、自由度に従ったシステムの各動きは、それぞれのモータによって生成される。各モータは、エンコーダに関連付けられて、基準位置(reference  position)に対する医療撮像システムの相対的位置を常に知ることを可能にする。２Ｄ画像が取得されるとき、撮像システムの対応する位置が記録される。よって、各２Ｄ画像は、撮像システムの関係において記録される。
【００２９】
一般的に、幾つかの画像が外科的介入の開始に取得され、前記画像は３Ｄボリューム又は３Ｄ画像の再構築のために使用される。その上、外科的介入中、１つ又はそれよりも多くの余分な２Ｄ又は３Ｄ画像を取得して、介入の進行を確認してよい。
【００３０】
蛍光ナビゲーションは、３Ｄボリュームを所与の参照(referential)と位置合わせするのを可能にするアルゴリズムを実行する少なくとも１つのプロセッサを含むコンピュータを更に必要とする。
【００３１】
図１は、モジュール式の器具１の実施形態を示している。
【００３２】
器具１は、放射線不透過性材料、例えば、プラスチックで作られたベース１０（基部）を含む。
【００３３】
ベース１０は、患者の骨Ｂに剛的に固定されることが意図されている。
【００３４】
本明細書において、「剛的に固定される」(“rigidly  fixed”)は、外科的介入中にベースが骨に対して動かないことを意味する。固定は、（例えば、図１に示すように、最小侵襲的な方法で骨に移植される少なくとも１つの経皮的ピン２、針、ブローチ又はネジを使用して）直接的であってよく、或いは間接的であってよい（即ち、骨に近い皮膚上の接着テープ、ストラップ等のような、骨に対して外部的な取付手段を使用して、患者の皮膚を通過せずに、骨に対してベースを固定してよい）。例えば、図２に示すように、変形可能な材料３がベース１０と皮膚Ｓとの間に介装される。変形可能な材料は、シリコン、熱硬化性樹脂フォーム(thermodurcissable  form)、真空下で堅くさせることができるマイクロビーズを含むバッグ、又は接着テープであり得る。身体部分形状に適合する材料３は、特に平坦でない領域において、骨に対するベースに対して幾らかの安定性をもたらす。材料の接着特性によって、或いはベースを取り囲む接着テープ、ストラップのような、外部手段によって、材料３と皮膚及びベースとの間の接着を得ることができる。間接的な固定は、骨とベースとの間に小さい厚さの軟組織があるに過ぎないときに特に適応性がある。何故ならば、この状況は、骨に対するベースの如何なる動きをも妨げる十分な剛性をもたらすと考えられるからである。例えば、骨が患者の指、手首、足などに関係するときに、間接的な固定を使用することができる。そのような間接的な固定は、非侵襲的であるという利点を有する。必要とされるならば、直接的及び間接的な固定を組み合わせることができる。例えば、図３の実施形態において、ベース１０は、身体部分形状に適合する変形可能な材料３を介して皮膚Ｓに連結（リンク）され、少なくとも１つの経皮的ピン２、ブローチ、針又はネジが、骨Ｂをベース１０に更に固定する。幾つかの骨又は幾つかの骨片に対して介入が行われるならば、多数のベース、即ち、骨又は骨片毎に１つのベースを使用することが可能である。幾つかの骨の複雑な関節のような好ましい実施形態では、剛的になることができる変形可能な材料を先ず使用して個々の骨又は骨片を互いに固定する。即ち、従来的なプラスタ、熱変形可能な材料、真空を有する微小球のポーチ(poach)など。次に、この変形可能な材料がひとたび剛的になると、ベースをこの変形可能な材料に固定する。
【００３５】
ベース１０は、ベースと骨との間に配置される患者の皮膚に面することが意図された支持面１１を有する。支持面１１は、特に、ベースが固定されなければならない身体部分の形状及びサイズ（大きさ）に依存して、意図された用途に適した任意の形状（例えば、円形、長方形など）及びサイズを有してよい。例えば、脊柱手術の場合、ベースは、好ましくは、少なくとも２つ又は３つの隣接する椎骨に固定されるよう細長い形状を有するが、肩関節手術の場合、ベースは、むしろ、肩峰に固定されるよう長円形の拡張部を備える円形である。支持面１１は、平面内で延びてよく、或いは、凹状又は凸状であってよく、剛性又は変形可能であってよい。
【００３６】
以下により詳細に示すように、固定は、好ましくは、患者を傷つるのを避けるために、特に、数時間続くことがある外科的介入の間に褥瘡を引き起こすのを避けるために、支持面１１と皮膚Ｓとの間のあらゆる接触を避けるように設計される。よって、好ましい実施形態において、支持面１１は、患者の皮膚から一定の距離に維持されることが有利である。
【００３７】
ベースは、概ね２０ｍｍ未満の高さを有することが有利である。このようにして、ベースは極めてコンパクトであり、患者の皮膚から限定的な程度までしか突出しない。よって、医療スタッフが意図せずにベースに当たること、よって、外科的介入中に骨に対してベースを変位させる可能性は極めて低い。
【００３８】
ベース１０は、ベースに剛的に結合されたトラッカ２０を有する。結合(coupling)は、恒久的であり得る（トラッカはベースと一体であるか或いはベースに不可逆的に固定され得る）し、或いは一時的であり得る（トラッカはベースから取り外し可能であり得る）。
【００３９】
好ましい実施形態によれば、トラッキングが必要とされないときには、トラッカをベースから取り外すことによって一時的な結合を提供することができる。これは医療スタッフをトラッカに当たらせることによって骨に対するベースの変位を引き起こすリスクを減少させる。それはトラッカが必要とされないときに手術空間(operating  space)も節約する。
【００４０】
一時的な結合の場合、ベース及びトラッカは、再現可能な方法で（即ち、ベースに対して常に同じ既知の位置及び向きで）トラッカを取り外し且つ取り付けることを可能にする、協働する固定手段を有する。
【００４１】
ある実施形態によれば、トラッカは、（能動的又は受動的な）光学トラッカである。例えば、図１に示す実施形態において、トラッカは、既知の相対的な位置を有する複数の反射ボールを含む。
【００４２】
他の実施形態によれば、トラッカは電磁トラッカである。電磁トラッカは、光学トラッカよりもコンパクトであるという利点を有する。例えば、図４Ａに示す実施形態において、トラッカ２０は、再現可能な固定手段１２，２５０でベース１０に取り付けることができる支持体２５に埋め込まれている。図４Ｂに示す代替的な実施形態において、トラッカ２０は、ベース１０の凹部内に収容され、よって、ベースから突出しない。トラッカ２０は、ベース１０から取り外し可能であっても取り外し可能でなくてもよい。好ましい実施形態において、電磁トラッカは、アーチファクトの存在を検出するために使用することができる慣性センサを含む。
【００４３】
本発明は、特定のトラッキングに限定されず、当業者は、記載された実施形態を選択された技術に適合させることができる。
【００４４】
器具１は、ベース１０に剛的に取り付けられるように意図された位置合わせファントム３０(registration  phantom)を更に含む。位置合わせファントム３０は、放射線不透過性材料で作られ、既知の位置に配置される既知の形状及びサイズを有する複数の放射線不透過性基準３１(radiopaque  fiducials)（例えば、ボール又はピン）を含む。
【００４５】
２Ｄ画像が医療撮像システムで取得されるとき、放射線不透過性基準は２Ｄ画像内で見える。放射線不透過性基準の形状、サイズ及び配置(arrangement)は知られているので、較正ファントム(calibration  phantom)を参照して画像を決定することができ、各２Ｄ画像内の放射線不透過性基準の位置に基づいて３Ｄ再構築を実行することができる。基準を使用せずに直接的に３Ｄ画像再構築を実行し、次に、再構築された３Ｄ画像内の基準を直接的に検出することも可能である。
【００４６】
位置合わせファントム３０は、外科的介入の全体の間に必要とされるのでなく、医療撮像システムによって取得される画像の位置合わせが実行されなければならない特定の時間にのみ必要とされるので、位置合わせファントム３０はベース１０から取り外し可能である。
【００４７】
この目的を達成するために、ベース１０及び位置合わせファントム３０は、位置合わせファントムを再現可能な方法で（即ち、ベースに対して常に同じ既知の位置及び向きで）取り付けることを可能にする、協働する固定手段１２，３２を有する。これはファントムが必要とされないときに手術空間を節約するのを可能にする。
【００４８】
位置合わせファントム３０は、意図される用途に適した任意の形状及びサイズを有してよい。特に、位置合わせファントム３０は、画像位置合わせのために必要とされるときにのみベースに取り付けられるので、位置合わせファントム３０は、ベースよりも大きいサイズを有することができる。このようにして、放射線不透過性ボールを互いからより大きな距離に配置させることによって位置合わせの精度を向上させることが可能である。
【００４９】
ある実施形態によれば、固定手段は、支持面１１とは反対側のベースの表面に突出する少なくとも１つのフィンガ１２と、位置決めファントム３０にある少なくとも１つの相補的な開口３２とを含む。しかしながら、この実施形態は限定的でなく、当業者は、本発明の範囲から逸脱することなく、他の種類の再現可能な固定を設計することができる。
【００５０】
好ましくは、図５に示すように、位置合わせファントム３０のための再現可能な固定は、（トラッカがベースから取り外し可能であるときの）トラッカ２０についてと同じである。このように、ベースの設計は可能な限り単純であり、ベース上に２つの別個の固定領域を設けることによって空間が失われることはない。
【００５１】
有利には、位置合わせファントムは、そして、該当する場合、トラッカは、ベースに配置される磁石の故に、磁力を用いてベース上で維持される。よって、位置合わせファントムの、そして、当て嵌まる場合、トラッカの取付け及び取外しを、如何なるツールをも必要とせずに容易に行うことができる。この磁気固定は、ある程度のレベルの力がベースに取り付けられる部分に対して加えられるならば自動的に取り外され、それは骨に対するベースの相対的な位置及び固定を損傷し或いは変位させるのを回避するという利点を有する。
【００５２】
図６Ａに示す実施形態によれば、ベースに対するトラッカの１つ又はそれよりも多くの決定された可能な位置を可能にする再現可能な固定によって、トラッカをベースに取り外し可能に固定することができる。例えば、トラッカ２０は、ベースの支持面１１とは反対側の表面にあるそれぞれの円筒形の開口１２’と係合する２つの円筒形の突起２２’を含む支持体２１を含む。ベースは、支持面１１とは反対側の表面から延びるフィンガ１３を更に含む。トラッカの支持体２１は、トラッカが第１の可能な位置でベースに固定されるときに１つの通路２３と係入するように構成され（図６Ａの中央を参照）且つトラッカが第２の可能な位置でベースに固定されるときに他の通路に係入するように構成される（図６Ａの右側を参照）２つの通路２３を含む。以下により詳細に説明するように、フィンガ１３の頂部は、トラッキングされたツール２４を用いてベースに対するトラッカの実際の位置を決定する基準点(reference  point)として働く。そのような対称的な固定は、特にナビゲーションのために使用される位置特定カメラの位置に依存して、手術空間にトラッカを位置付けるより多くの柔軟性を医療スタッフにもたらす点において、有利である。それは外科処置の開始時に骨の上でのベースの位置決めに関連する制約を解除することにも有利である。医療スタッフは、骨に対するベースの位置決めに焦点を置き、骨固定の骨質のみに依存して位置決め方向を選択し、然る後、適切な手術設定に依存してベースの上にトラッカを位置付けることができる。他方、図６Ｂに示すように、ベース１０に対する位置合わせファントム３０の再現可能な固定は特異である。この目的を達成するために、位置合わせファントム３０は、ベースの支持面１１とは反対側の表面にある円筒形の開口１２’と協働するが、フィンガ１３について１つの通路３３とだけ協働する、２つの円筒形の突起３２’を含む。上述の実施形態において、ベースに対するトラッカの２つの可能な位置は対称的である。しかしながら、トラッカのために２つよりも多くの可能な位置があってよい。例えば、実質的に円形の形状を有するベースの場合（図示せず）、再現可能な固定は、ベースの中心にある円錐の突起と、トラッカの可能な位置を定めるよう所与の角度位置に配置されるフィンガとを含むことができる。
【００５３】
他の実施形態（図示せず）によれば、基準点はトラッカ上にあってよい。
【００５４】
図７は、少なくとも１つの経皮的ピン２、ネジ、針、又はブローチによって骨に固定されることが意図されるベース１０の３つの実施形態（Ａ）乃至（Ｃ）を示している。以下の記述において、「ピン」(“pin”)という用語は、ネジ、ブローチ、針を含む、ベースを骨に固定するあらゆる細長い経皮デバイスを示すために使用される。一般的に、そのようなピンは、皮膚の穿孔及び骨への移植を可能にするよう尖った先端２００を有し、０．５〜８ｍｍの間の直径を有する。
【００５５】
好ましい実施形態によれば、ピン２は、先端２００から限定的な距離（数ミリメートル、例えば４ｍｍ）に配置された肩部２０１(shoulder)を含む。肩部２０１は、開業医がピンを前記限定的な距離から更に骨内に挿入することを防止する当接部(abutment)を形成する。これは、ピンが骨の所望の領域に正確に挿入されない場合に、骨又は周囲の組織（例えば、脊柱管(spine  canal)、血管構造）を損傷するのを避ける安全手段である。加えて、開業医は、肩部が骨に接触することを検知することによって、ピンが骨内に十分に移植されていることを制御してもよい。
【００５６】
ベースは、それぞれのピン２を通すための複数の貫通穴１４を含む。各貫通穴１４は、ピンの直径と相補的な直径を備える円筒形状を有する。各貫通穴１４は、ピンを案内し且つベースに対するピンの如何なる枢動をも回避するよう、十分な高さを有する。貫通穴の数は、骨への最適な固定をもたらすために、開業医がピンを受け入れるのに最も適した穴を選択するための大きな選択肢を提供するよう、多いのが有利である。骨に対するベースの回転を防止するためには、少なくとも３つのピンが必要とされる。好ましくは、ベースのあらゆる動きも防止することを可能にする多数の拘束(constrains)を創り出すために、より多くの数のピンを使用する。
【００５７】
有利には、貫通穴１４は、ベースのより安定的な固定をもたらすよう、互いに平行でない（ピンの多数の角度は、多数の拘束状況を創り出す）。加えて、非平行ピンは、ベースと皮膚との間の距離を維持することを可能にし（図８を参照）、それは下に位置する組織に適用される機械的拘束を制限する。
【００５８】
ピンは、ひとたび各ピンが骨に移植されてベースに固定されると、各ピンが破損されるのを可能にする、ノッチ（図示せず）を含んでよい。このようにして、ベースより上に延びるピンの部分を除去することができ、よって、手術空間を妨害しない。これはファントム及びトラッカの固定も容易にする。さもなければ、ピンは鋭いエッジを備える適切なプライヤによって切断されてよい。
【００５９】
図７の実施形態（Ａ）において、ベース１０は、貫通穴１４を含む幾つかの領域を備える実質的に長方形の形状を有する。有利には、貫通穴が配置される領域は、貫通穴の所要の高さを定める限定的な厚さを有し、前記領域は、ベースの剛性を増大させるために、周辺フランジによって取り囲まれる。ピンが骨に固定されてベースに固定された後に、ピンが破壊され或いは切断されるならば、切口は、ベースから突出しないように、周辺フランジ内に配置されるのが好ましい。
【００６０】
図７の実施形態（Ｂ）において、ベースは、部分１０ａの長手方向の側部から延びる２つのウイング１０ｂ（翼）を備える実質的に長方形の中央部分１０ａを有する。各ウイング１０ｂは、有利には、支持面１１に対して傾斜させられ、同様に支持面１１に対して傾斜させられた複数の貫通穴１４を含む。ウイング１０ｂは、貫通穴のアクセス性の増大の故に、使いやすさの向上をもたらす。中央部分１０ａは、複数の貫通穴を含むこともできる。
【００６１】
図７の実施形態（Ａ）、（Ｂ）及び（Ｃ）において、ベース１０は、ベースのそれぞれの縁から内向きに延びる少なくとも１つの（好ましくは２つの）長手方向スロット１５を更に含む。各スロットは、支持面１１までベースの高さを通じて延在する。スロットは、ベースを骨に対して予め位置決めすることを可能にする。第１に、開業医は、互いに平行でない２つのピン２を骨に取り付けることができる。ピンの位置は、骨への良好な固定を保証するよう有利に選択される。具体的には、開業医は、ピンの先端を移植するのに最適な骨領域を選択する。次に、開業医は、各々の予め位置決めされたピン２がそれぞれのスロット１５に入るよう、ベースを位置付けることができる。次に、開業医は、ベース１０がピン２に楔止めされる、ベースの最終位置に達するまで、ベースをピン２に沿ってスライドさせる。例えば、開業医は、下に位置する骨の形状を手動で検知して、ベースがベースを最適に固定し得る骨の部分に対して正しく配置されているか否かを決定することができる。次に、ベースを骨に剛的に固定するために、追加的なピン２を貫通穴１４に通すことができる。
【００６２】
図７の実施形態（Ｃ）において、貫通穴１４は、ベースの中央部分にある同心円に沿って更に配置される。中央の貫通穴を前記円の中心に配置することもできる。有利には、円の貫通穴は、全て、円によって異なる共通の点に向かって収束する。
【００６３】
もちろん、実施形態（Ａ）乃至（Ｃ）は限定的でなく、当業者は、貫通穴１４のための、存在するならば、スロット１５のための、他の構成を定めることができる。具体的には、本発明の範囲から逸脱することなくこれらの実施形態の構成を組み合わせることができる。
【００６４】
モジュール式の器具は、異なるサイズ及び／又は形状の幾つかのベースを含むが、単一のトラッカ及び単一の位置合わせファントムを含む、キットとして提示されてよい。ベースのこの多様性は、開業医が、治療されるべき身体部分及び／又は患者の特殊性に依存して、最も適切なベースを選択するのを可能にする。例えば、肥満の患者の場合、貫通穴の角度は、やせた患者の場合よりも大きいことが必要とされることがある。逆に、モジュール式の器具は、異なるサイズ及び／又は形状の幾つかの位置合わせファントム及び／又はトラッカを含むが、単一のベースを含む、キットとして提示されてよい。他の実施形態によれば、キットは、異なるサイズ及び／又は形状を有する複数のベースと、ベースの各々に再現可能に取り付けられることができる異なるサイズ及び／又は形状の複数のトラッカ及び複数の位置合わせファントムとを含む。この多様性は、開業医が、実現することを欲する外科処置に依存して適切な器具を選択することを可能にする。例えば、その椎骨が大きく変形した脊柱側弯症の患者の場合、トラッカの再現可能な面に関する反射球の向き及びその全体的な外形寸法は、標準的な患者に対して変更させられることが必要とされることがある。
【００６５】
骨に対するベースの正しい位置が決定され、ピンが貫通穴（そして、該当する場合には、（複数の）スロット）に通され、骨に移植されるとき、開業医は、ピンをベースに固定する。
【００６６】
図９は、ピンをベースに固定する様々な方法を例示している。
【００６７】
実施形態（Ａ）において、ピン２は、貫通穴１４のネジ山付き区画と協働するネジ山付き端を有する。
【００６８】
実施例（Ｂ）において、ピン２は、ピンの周りに滑動的（摺動的）に配置された要素２ｂを備える。ひとたびピンが骨に移植されると（左側）、開業医は、対応するハウジング１０ｃをベースに係入するまで、要素２ｂをスライド（摺動）させる。次に、開業医は、埋伏(impaction)（及び要素の外形の可能な変形）を介して、要素２ｂをハウジング１０ｃ内に固定する（中央）。要素は、楔形（左側及び中央）又は丸い状形（右側）を有することができる。
【００６９】
実施形態（Ｃ）において、ベースは、貫通穴の方向に対して実質的に直交する方向に延びて貫通穴に至る、ネジ山付き穴１０ｄを備える。よって、ピンを骨に移植するときには、ピン２に接触して加圧するまで、圧力ネジ２ｄを穴１０ｄにネジ込むことができる。
【００７０】
実施形態（Ｄ）において、貫通穴を取り囲むベースの領域は、ピン２のためのクランプを形成するよう変形可能であることができ、圧力ネジ２ｄ、変形可能なクリップ又は任意の他の適切な手段によって、ピンがひとたび骨に移植されると、クランプに圧力を加えることができる。この実施形態は、図７（Ｂ）及び（Ｃ）に示すように、ピンをスロット１５内に固定するのにも適している。
【００７１】
実施形態（Ｅ）において、貫通穴１４は、ベースの外側から延び、ピン２の直径よりも大きい幅を有する、スロットの形態である。ピンがひとたび骨に移植されると、楔要素２ｅが穴に挿入され、ピンを貫通穴の壁に対して強制的に維持する。この実施形態は、図７（Ｂ）及び（Ｃ）に示すように、ピンをスロット１５内に固定するのにも適している。
【００７２】
他の実施形態において、（図８に示すような）様々な角度で方向付けられた多数のピンは、如何なる外部手段をも必要とせずにベースを固定することを可能にする。
【００７３】
図１０は、位置合わせファントム３０の様々な実施形態を例示している。有利には、位置合わせファントム３０は、ベースに固定されることが意図される中央部分３０ａと、中央部分３０ａの両側で延びる２つの側方ウイング３０ｂとを含む。好ましくは、側方ウイングは、中央部分と一体的である。用途に依存して、ベース及び側方ウイングは、実質的に平面内に延在してよい。さもなければ、側方ウイングは、中央部分に対して傾斜してよい。他の実施形態において、側方ウイングは、中央部分より上に延びてよい。
【００７４】
図１１は、トラッカ２０及び位置合わせファントム３０の概略的な実施形態を示している。ベース１０は、骨に対する最適な安定性を有するためにコンパクトであるのが好ましいが（例示において、ベースは２つのピンによって骨に固定されるが、ベースは上述のいずれかの直接的又は間接的な方法で固定されることもできる）。対照的に、トラッカ２０及び／又は位置合わせファントム３０は、トラッカ及び／又は位置合わせファントムをベースに対してオフセットした位置に配置することを可能にするそれぞれの細長い部材２６，３４を含む。細長い部材２６，３４は、破線で表されており、それらの形状及び寸法は、意図される外科的適用に依存する。これらの細長い部材は、骨固定及びアクセス性に関してベースを最適な位置に維持しながら、トラッカ及び／又はベースの位置を最適化することを可能にする。例えば、細長い部材３４は、３Ｄ画像の再構築のために放射線不透過性基準３１を最適な位置にあるようにさせるために、位置合わせを撮像領域の中心付近に配置することを可能にすることがある。光学トラッカの場合、細長い部材２６は、トラッカを位置特定カメラの視野内の最適な位置に配置することを可能にすることがある。細長い部材２６は、開業医のための空間を解放するために、介入部位から離してトラッカを配置することを可能にすることがある。電磁トラッカの場合、細長い部材２６は、より精密な位置特定をもたらすために、介入部位の近くにトラッカを配置することを可能にすることがある。
【００７５】
以下のプロトコルに従ってモジュール式の器具を使用することができる。
【００７６】
プロトコル１
【００７７】
図１２は、上述のような器具を使用して外科的介入の間に実施されてよいプロトコルを表すフローチャートである。
【００７８】
ステップ１０１において、ベースを直接的又は間接的な方法で骨に剛的に取り付ける。
【００７９】
ステップ１０２において、再現可能な固定手段を用いて位置合わせファントムをベースに取り付ける。
【００８０】
ステップ１０３において、電動医療撮像システムは、骨の領域内の患者の画像を取得する。
【００８１】
ステップ１０４では、撮像システムを参照して定められる３ＤボリュームＶｉｍａｇｅを生成するために、コンピュータによって３Ｄ再構築アルゴリズムを実行する。３Ｄ再構築自体は知られている。よって、ここでは３Ｄ再構築を詳細に記載しない。
【００８２】
他方、コンピュータのメモリに格納されている或いは他のシステムからダウンロードされてよい（ＲＦｐｈａｎｔｏｍと印す）既知のファントム寸法に基づいて位置合わせファントムを参照して３Ｄボリュームを生成するために、コンピュータによって位置合わせアルゴリズムを実行する。この３ＤボリュームをＶｐｈａｎｔｏｍと呼ぶ。
【００８３】
ステップ１０５において、位置合わせファントムをベースから取り除き、（トラッカがベースに恒久的に取り付けられていないならば）再現可能な固定を使用してトラッカをベースに取り付ける（その場合、トラッカは全プロトコル中に存在する）。
【００８４】
トラッカはベースに対する（ＲＦｔｒａｃｋｅｒと印す）既知の位置及び固定を有するので、コンピュータは、トラッカを参照して上述の３Ｄボリュームを生成するアルゴリズムを実装する。この３ＤボリュームをＶｔｒａｃｋｅｒと呼ぶ。
【００８５】
ステップ１０６では、トラッカがカメラの視野内にあるように、位置特定カメラを患者の近傍に設置する。
【００８６】
コンピュータは、カメラを参照して３Ｄボリュームを生成するアルゴリズムを実装する。この３ＤボリュームをＶｃａｍｅｒａと呼ぶ。
【００８７】
ステップ１０７において、外科的介入を実行するために、トラッキングされたツールを手術野に導入する。（ＲＦｔｏｏｌと印す）ツール先端の位置が毎回知られているように、このツールは位置特定カメラの視野にもある。ツール先端の位置はコンピュータのメモリに格納されてよく、或いは他のシステムからダウンロードされてよい。
【００８８】
次に、コンピュータは、トラッキングされたツールを参照して３Ｄボリュームを生成するために、アルゴリズムを実行する。この３ＤボリュームをＶｔｏｏｌと呼ぶ。よって、ボリュームＶｔｏｏｌ内のツールのナビゲーションを行うことができる。
【００８９】
プロトコル２
【００９０】
図１３は、ベースに対するトラッカの対称的固定の場合に実行されてよい代替的なプロトコルを表すフローチャートである。
【００９１】
図１２と同じ参照番号を有するステップは、第１のプロトコルにおけると同じステップに対応する。よって、それらのステップを再び記載しない。
【００９２】
ステップ１０５において、トラッカを２つの可能な対称位置のいずれか１つにおいてベースに取り付ける。有利には、ナビゲーションのために使用される位置特定カメラの最適な視野に対応する或いは手術室内のカメラ構成の直接的な結果としての位置にトラッカを位置付ける。
【００９３】
トラッカはベースに対して既知の位置及び固定を有するので、コンピュータは、トラッカが第１の位置（例えば、左側）にあると想定してトラッカを参照する第１の３Ｄボリューム、及びトラッカが第２の位置（例えば、右側）にあると想定してトラッカを参照する第２の３Ｄボリュームを生成する、アルゴリズムを実装する。これらの３ＤボリュームをそれぞれＶｔｒａｃｋｅｒ  Ｌ及びＶｔｒａｃｋｅｒ  Ｒと呼ぶ。
【００９４】
ステップ１０６では、トラッカがカメラの視野内にあるように、位置特定カメラを患者の近くに設置する。
【００９５】
コンピュータは、カメラを参照して上述の３Ｄボリュームの各々を生成するアルゴリズムを実装する。これらの３ＤボリュームをそれぞれＶｃａｍｅｒａ  Ｌ及びＶｃａｍｅｒａ  Ｒと呼ぶ。
【００９６】
ステップ１０７では、外科的介入を実行するために、トラッキングされたツールを手術野に導入する。ツール先端の位置が毎回知られているように、このツールは位置特定カメラの視野にもある。ツール先端の位置はコンピュータのメモリ内に格納されてよく、或いは他のシステムからダウンロードされてよい。
【００９７】
次に、コンピュータは、トラッキングされたツールを参照して上述の３Ｄボリュームの各々を生成するために、アルゴリズムを実行する。これらの３ＤボリュームをそれぞれＶｔｏｏｌ  Ｌ及びＶｔｏｏｌ  Ｒと呼ぶ。
【００９８】
ベースに対するトラッカの現実の位置を決定するために、よって、Ｖｔｏｏｌ  Ｌ又はＶｔｏｏｌ  Ｒの間を選択するために、ベース上の基準点をその先端と接触させるように、（上記のツールと同じツール又は他のツールであってよい）トラッキングされたツールを位置付ける（ステップ１０８）。
【００９９】
（ＲＦｒｅｆｅｒｅｎｃｅ  ｐｏｉｎｔと呼ぶ）基準点の位置は知られているので、コンピュータは、基準点の位置とツール先端の位置とを比較し、相応して参照(referential)（Ｌ又はＲ）を選択する、アルゴリズムを実行する（ステップ１０９）。
【０１００】
よって、適切な参照におけるツールのナビゲーションを実行することができる。
【０１０１】
上述のプロトコルは、各時点で知られているツール先端、基準点、ファントム寸法、トラッカ寸法のような基準特徴(reference  features)を参照する。
【０１０２】
好ましい実施形態において、これらの基準特徴は、コンピュータのメモリ内に格納されてよい。
【０１０３】
他の実施形態において、基準特徴は、器具の較正器及び／又は位置特定システム自体の較正アルゴリズムのような、システムの一部によって生成されてよい。この実施形態は、特に再使用可能な器具の使用に適する。
【０１０４】
他の実施形態において、基準特徴は、記憶装置（即ち、外部ＵＳＢデバイス）又はメモリデバイスに直接的にリンクされる或いはシステムに据え付けられるバーコードリーダ若しくはデータ行列リーダのような講義デバイスであってよい、他のシステムからダウンロードされてよい。有利には、データ行列(データマトリックス)(datamatrix)（即ち、ＱＲコード（登録商標））は、システムに転送されるべき全ての基準寸法を含み、器具パッケージ内のカードフォーマットに印刷されてよい。この実施形態は、特に使捨て器具の使用に適する。それは参照特徴の修正の場合にソフトウェアのアップグレードを必要としないという利点を提示する。例えば、図１４は、ベースのための識別カードＣ１０を示している。この実施形態において、ベースの基準特徴は、カードに印刷されたバーコードＢＣに含められる。図１５は、ベース、位置合わせファントム、トラッカ及びツールのための識別カードＣ１０、Ｃ３０、Ｃ２０及びＣ２４をそれぞれ示している。前記コンポーネントのそれぞれの基準特徴は、カードに印刷されたデータ行列（それぞれＱＲ１０、ＱＲ３０、ＱＲ２０及びＱＲ２４）に含められる。よって、ユーザが新しいコンポーネントを使用することを欲するとき、ユーザは、前記コンポーネントの基準特徴をダウンロードするために、適切なリーダを使用してバーコード又はデータ行列を読み取るだけでよい。次に、コンピュータは、プロトコルの実行中に前記基準特徴を使用する。
【図１】
2018538019.tif 000003
【図２】
2018538019.tif 000004
【図３】
2018538019.tif 000005
【図４Ａ】
2018538019.tif 000006
【図４Ｂ】
2018538019.tif 000007
【図５】
2018538019.tif 000008
【図６Ａ】
2018538019.tif 000009
【図６Ｂ】
2018538019.tif 000010
【図７】
2018538019.tif 000011
【図８】
2018538019.tif 000012
【図９Ａ】
2018538019.tif 000013
【図９Ｂ】
2018538019.tif 000014
【図９Ｃ】
2018538019.tif 000015
【図９Ｄ】
2018538019.tif 000016
【図９Ｅ】
2018538019.tif 000017
【図１０】
2018538019.tif 000018
【図１１】
2018538019.tif 000019
【図１２】
2018538019.tif 000020
【図１３】
2018538019.tif 000021
【図１４】
2018538019.tif 000022
【図１５】
2018538019.tif 000023
【国際調査報告】
2018538019.tif 000024
2018538019.tif 000025
2018538019.tif 000026